(57)【要約】【課題】  上下を維持した状態で、管内を撮影することができるカメラヘッド用カバーを提供する。【解決手段】  カバー１は、略円柱形状とされ、その前端部３は傾斜面に形成されている。カバー１には、前端部と後端部とを連通する貫通穴５が形成されている。貫通穴５は、カバー１を水平に配置した状態において、前方へ行くに従って上方へ傾斜して形成されている。カバー１は、上下に分割可能な構成とされ、下側部材２１に上側部材２３が重ね合わされて構成される。下側部材２１は金属で形成されており、上側部材２３は合成樹脂で形成されており、上側部材２３より下側部材２１のほうが重く構成されている。【選択図】  図５
2014146927.tif 000002
【特許請求の範囲】
【請求項１】
カメラヘッドに取り付けられるカメラヘッド用カバーであって、
下部が上部より重く形成されている
ことを特徴とするカメラヘッド用カバー。
【請求項２】
前記カメラヘッドに取り付けられて水平面に載置された際、前記カメラヘッドを斜め上方へ向けるよう構成された
ことを特徴とする請求項１に記載のカメラヘッド用カバー。
【請求項３】
前記カメラヘッドが収容される穴が形成されており、
この穴は、その軸線が、カバーの軸線に対して傾斜して形成されている
ことを特徴とする請求項１または請求項２に記載のカメラヘッド用カバー。
【請求項４】
軸線が水平に配置された状態において、下端部が後方へ行くにしたがって上方へ傾斜する傾斜面に形成されている
ことを特徴とする請求項１または請求項２に記載のカメラヘッド用カバー。
【請求項５】
前側下端部は、前方へ行くにしたがって上方へ傾斜する傾斜面に形成されている
ことを特徴とする請求項１から請求項４までのいずれかに記載のカメラヘッド用カバー。
【発明の詳細な説明】
【技術分野】
【０００１】
本発明は、各種管内へ送り込まれるカメラのヘッドに取り付けられるカバーに関するものであり、典型的には、水道管内へ送り込まれるカメラのヘッドに取り付けられるカバーに関するものである。
【背景技術】
【０００２】
配水管内を調査するために、配水管内にカメラを挿入することがある。
このカメラのヘッドには、ＬＥＤなどの照明が設けられており、管内を照らしつつ撮影することが可能とされている。
そして、従来、配水管内に沿ってカメラを進行させる場合、そのヘッドを正面に向けた状態で進行させていた。
【発明の概要】
【発明が解決しようとする課題】
【０００３】
しかしながら、管内において、カメラが周方向に回転して上下が逆になり、うまく撮影できない場合があった。
【０００４】
本発明が解決しようとする課題は、周方向に回転しても元に戻るカメラヘッド用カバーを提供することにある。
【課題を解決するための手段】
【０００５】
本発明は、前記課題を解決するためになされたもので、請求項１に記載の発明は、カメラヘッドに取り付けられるカメラヘッド用カバーであって、下部が上部より重く形成されていることを特徴とするカメラヘッド用カバーである。
【０００６】
請求項２に記載の発明は、前記カメラヘッドに取り付けられて水平面に載置された際、前記カメラヘッドを斜め上方へ向けるよう構成されたことを特徴とする請求項１に記載のカメラヘッド用カバーである。
【０００７】
請求項３に記載の発明は、前記カメラヘッドが収容される穴が形成されており、この穴は、その軸線が、カバーの軸線に対して傾斜して形成されていることを特徴とする請求項１または請求項２に記載のカメラヘッド用カバーである。
【０００８】
請求項４に記載の発明は、軸線が水平に配置された状態において、下端部が後方へ行くにしたがって上方へ傾斜する傾斜面に形成されていることを特徴とする請求項１または請求項２に記載のカメラヘッド用カバーである。
【０００９】
さらに、請求項５に記載の発明は、前側下端部は、前方へ行くにしたがって上方へ傾斜する傾斜面に形成されていることを特徴とする請求項１から請求項４までのいずれかに記載のカメラヘッド用カバーである。
【発明の効果】
【００１０】
本発明によれば、周方向に回転しても元に戻ることができる。
【図面の簡単な説明】
【００１１】
【図１】本発明のカメラヘッド用カバーの一実施例を示す正面図である。
【図２】図１のカメラヘッド用カバーの側面図である。
【図３】図１のカメラヘッド用カバーの平面図である。
【図４】図１のカメラヘッド用カバーの斜視図である。
【図５】図２の縦断面図である。
【図６】図１のカメラヘッド用カバーの分解斜視図である。
【図７】図１のカメラヘッド用カバーにカメラヘッドを収容した状態を示す図である。
【図８】図１のカメラヘッド用カバーが装着されたカメラを、挿入具により管内へ送り込む状態を示す概略図である。
【図９】水道管に縦管部が設けられた状態を示す縦断面図である。
【発明を実施するための形態】
【００１２】
以下、本発明のカメラヘッド用カバーの一実施例について図面に基づいて具体的に説明する。
【００１３】
図１〜図４は、本発明のカメラヘッド用カバーの一実施例を示す図であり、図１は正面図、図２は側面図、図３は平面図、図４は斜視図である。また、図５は、図２の縦断面図である。図６は、図１のカメラヘッド用カバーの分解斜視図である。
【００１４】
本実施例のカメラヘッド用カバー１は、略円柱形状とされ、その前端部３は傾斜面に形成されている。具体的には、カバー１の前端部３は、上方へ行くにしたがって後方へ傾斜する傾斜面に形成されている。
【００１５】
カバー１には、前端部と後端部とを連通する貫通穴５が形成されている。
この貫通穴５は、カバー１を水平に配置した状態において、傾斜するよう形成されている。具体的には、貫通穴５は、カバー１が水平面に載置された状態において、前方へ行くに従って上方へ傾斜して形成されている。
【００１６】
カバー１が水平面に載置された状態において、水平面Ｇに対する貫通穴５の傾斜角度αは、３〜１５度となるのが好ましく、さらに好ましくは、６〜１０度とされ、本実施例では、傾斜角度αは８度とされている。
【００１７】
貫通穴５は、前部７が後部９より大径に形成されている。また、前部７と後部９との境界部１１は、後方へ行くにしたがって縮径する円錐台状に形成されている。
また、貫通穴５の前部７の先端下端部１３、つまりカバー１の前端側開口部の下端部は、前方へ行くにしたがって上方へせり上がるように形成されている。
【００１８】
カバー１の下端部中央には、上方へ凹んで矩形状の溝１７が軸方向に沿って形成されている。
【００１９】
カバー１の下側前端部１９は、前方へ行くにしたがって上方へ傾斜する傾斜面に形成されている。
【００２０】
本実施例では、カバー１は、上下に分割可能な構成とされ、下側部材２１に上側部材２３が重ね合わされて構成される。
カバー１は、前方へ行くにしたがって上方へ傾斜する面で上下に分離可能とされており、本実施例では、貫通穴５の軸線Ｌを通る面で、上下に分離可能とされる。
【００２１】
カバー１の下側部材２１は、断面略半円形状とされる。
下側部材２１の上面には、カバー１の貫通穴５（７，１１，９）の下部を構成する断面半円形状の溝７ａ，１１ａ，９ａが形成されている。
【００２２】
カバー１の上側部材２３は、断面略半円形状とされる。
上側部材２３の下面には、カバー１の貫通穴５の上部を構成する断面半円形状の溝７ｂ，１１ｂ，９ｂが形成されている。
【００２３】
上側部材２３を、下側部材２１に重ね合わせた状態で、上側部材２３の幅方向両端部から下側部材２１にネジ２５がねじ込まれることで両部材２１，２３が固定されて、カバー１が構成される。
【００２４】
本実施例では、下側部材２１はステンレスなどの金属で形成されており、上側部材２３はポリプロピレンなどの合成樹脂で形成されており、上側部材２３より下側部材２１のほうが重く構成されている。
これにより、カバー１は、周方向に回転したとしても、上下が元の位置に自動的に戻る。
【００２５】
図７は、本実施例のカメラヘッド用カバーにカメラヘッドを収容した状態を示す図である。
【００２６】
本実施例のカメラヘッド用カバー１が適用されるカメラＣは、カメラヘッドＣＨと、このカメラヘッドＣＨに接続されるカメラケーブルＣＣとを有する。
【００２７】
カメラヘッドＣＨは、略円柱形状とされ、その直径は、たとえば、３ｃｍとされる。カメラヘッドＣＨは、その中央部にレンズが配置され、その周囲に複数の照明用のＬＥＤが設けられて構成されている。また、カメラケーブルＣＣは、可撓性を有すると共に、比較的剛性を有したものとされ、外周面が滑らかとされている。
【００２８】
カメラヘッド用カバー１をカメラヘッドＣＨに取り付ける場合、カバー１の貫通穴５にカメラヘッドＣＨを収容するようにして、上側部材２３を下側部材２１に固定すればよい。カバー１が取り付けられたカメラヘッドＣＨは、先端下端部１３と境界部１１とにより、カバー１に対する前後方向の移動が規制される。
カバー１が取り付けられたカメラヘッドＣＨは、カバー１を水平面に載置した際、斜め上方へ向けられて配置される。
【００２９】
カメラケーブルＣＣには、カメラヘッドＣＨからの映像を映し出すモニターや、映像を記録する録画機器等が接続される。カメラヘッドＣＨは、カバー１の前方開口部から外部を見た映像を撮影し、モニターに映像が映し出される。
【００３０】
図８は、カバーが装着されたカメラを、挿入具により管内へ送り込む状態を示す概略図である。また、図９は、水道管に縦管部が設けられた状態を示す縦断面図である。
【００３１】
本実施例のカバー１が装着されたカメラＣは、たとえば、挿入具３０により上水道配水管内に水密状態で送り込まれて、管路に沿って進行する。図示例では、挿入具３０は、補修弁に３９取り付けられている。
【００３２】
具体的には、多数の管が接続されて構成される水道管３１には、図９に示すように、適宜、上方へ分岐して縦管部Ｔが設けられている。つまり、水道管３１には、図９に示すように、上方へ延出する縦管３５を有する略Ｔ字形の管３７が、適宜接続されている。この管３７の縦管３５に補修弁３９などを介して消火栓Ｈが接続されて縦管部Ｔが構成されている。なお、図示例では、縦管部Ｔを構成する消火栓Ｈや補修弁３９などは、地下に形成されたボックスＢ内に収容されている。
本実施例では、補修弁３９から消火栓Ｈを取り外した状態で、補修弁３９に挿入具３０が取り付けられている。なお、図示例では、補修弁３９はボール式補修弁とされている。
【００３３】
補修弁３９に取り付けられた挿入具３０には、パッキン４３が設けられており、カメラケーブルＣＣは、パッキン４３を介して外部へ導出されており、水密性を維持した状態で、水道管３１に対して進退可能とされる。
カメラケーブルＣＣは、挿入具３０の外部においてドラムに巻かれており、その端部には、カメラヘッドＣＨからの映像を映し出すモニターや録画機器が設けられている。
【００３４】
カバー１が取り付けられたカメラＣは、管内を照明で照らしながら進行する。
本実施例では、カバー１が水平面に載置された状態において、カメラＣが斜め上方へ向けて設けられていることで、照明により斜め上方が照らされる。
これにより、カメラＣの近傍において、管の底部に照明が当たることがなく、これによりハレーションがおこらず、管内をきれいに撮影することができる。
また、カメラＣが上方へ向けられていることで、管の上部も撮影することができ、管の内周面全体をきれいに撮影することが可能とされる。
【００３５】
また、本実施例では、カバー１は、下側部材２１が上側部材２３より重く形成されている。これにより、カバー１が管内で周方向に回転してしまったとしても、上下方向が自動的に元に戻り、正確に管内調査を行うことができる。つまり、上下を維持した状態で、管内を撮影することができる。
【００３６】
さらに、本実施例では、カバー１の下側前端部１９が傾斜面に形成されていることで、カバー１が水平面Ｇに載せ置かれた際、カバー１の下側前端部１９は、水平面との間に隙間が形成される。これにより、管底に錆こぶなどが存在しても、カバー１は、乗り越えて進行することができる。
【００３７】
本発明のカメラヘッド用カバーは、上記実施例の構成に限らず、適宜変更可能である。
たとえば、上記実施例では、上側部材２３と下側部材２１の材質を変えて、カバー１の上部と下部の重さを変えたが、同じ材質として、厚みなどにより上下で重さを異なるものとするようにしてもよい。
【００３８】
また、上記実施例では、カバー１に形成される貫通穴５を、カバー１の軸線に対して傾斜して形成したが、カバー１の軸線と同軸上に貫通穴を形成し、カバー１の下端部を傾斜面に形成して、カメラＣが上方へ向くようにしてもよい。
具体的には、カバー１を水平面に載置した際に、尻下がりになるように、換言すれば、その軸線Ｌが前方へ行くに従ってやや上方へ傾斜するように、下端部を傾斜面に形成すればよい。つまり、カバー１をその軸線Ｌが水平となるように配置した状態において、その下端部を後方へ行くに従って上方へ傾斜する傾斜面に形成すればよい。
【００３９】
さらに、上記実施例では、水道管のうち、上水道配水管で使用する場合について説明したが、導水管や送水管などの水道管でも同様に使用可能である。さらに、ガスなどが流れる管でも使用可能である。
【符号の説明】
【００４０】
１    カメラヘッド用カバー
５    貫通穴
２１    下側部材
２３    上側部材
Ｃ    カメラ
ＣＨ  カメラヘッド
【図１】
2014146927.tif 000003
【図２】
2014146927.tif 000004
【図３】
2014146927.tif 000005
【図４】
2014146927.tif 000006
【図５】
2014146927.tif 000007
【図６】
2014146927.tif 000008
【図７】
2014146927.tif 000009
【図８】
2014146927.tif 000010
【図９】
2014146927.tif 000011